(57)【要約】      （修正有）【課題】構造が単純であり、しかも締め具を回すときの回転力量に充分に堪える高い強度を有するラチェットレンチを提供する。【解決手段】把持部とヘッド部と可動顎と偏圧装置とを含む。ヘッド部は、把持部の一端に形成され、かつ少なくとも一つの固定顎２１と、滑り溝２２と、受入穴２３とを含む。滑り溝は、受入穴に連通され、滑り溝は第１軸線Ａ１に沿って延伸され、受入穴は第２軸線Ａ２に沿って延伸され、第１軸線と第２軸線との間に所定の夾角が形成される。可動顎２５は、挟持部３１と、接続部３２と、収容溝３３とを含む。接続部は、固定顎から離れる挟持部の一端に設けられ、かつ滑り溝に滑動可能に取り付けられる。収容溝は、接続部に取り付けられ、かつ受入穴と連通されている。偏圧装置４０は、制限具４１と、偏圧具４２とを含み、制限具は受入穴に挿入され、偏圧具は、受入穴と収容溝に収容され、偏圧具の異なる両端はそれぞれ、制限具と収容溝とに当接される。【選択図】図２
0003190709.tif 000002
【実用新案登録請求の範囲】
【請求項１】
把持部と、ヘッド部と、可動顎と、偏圧装置とを備えるラチェットレンチであって、
前記ヘッド部は、前記把持部の一端に形成され、少なくとも一つの固定顎と、滑り溝と、受入穴とを含み、前記滑り溝は前記受入穴に連通され、前記滑り溝は第１軸線に沿って延伸され、前記受入穴は第２軸線に沿って延伸され、前記第１軸線と前記第２軸線との間に所定の夾角が形成され、
前記可動顎は、挟持部と、接続部と、収容溝とを含み、前記挟持部は、可動顎と対向し、前記接続部は、前記固定顎から離れる前記挟持部の一端に形成され、かつ滑動自在に前記滑り溝に取り付けられ、前記収容溝は、前記受入穴と連通するように前記接続部に設けられ、
前記偏圧装置は、制限具と偏圧具とを含み、前記制限具は、前記受入穴に挿入され、前記偏圧具は、前記受入穴と前記収容溝に収容され、前記偏圧具の異なる両端はそれぞれ、前記制限具と前記収容溝とに当接されることを特徴とするラチェットレンチ。
【請求項２】
前記ヘッド部は、係止溝と可動顎とをさらに含み、前記可動顎は、摺動自在に前記係止溝に取り付けられ、かつ前記固定顎に相対して移動することができ、前記滑り溝は、前記第１軸線に沿って前記可動顎に形成され、前記受入穴は、前記第２軸線に沿って前記可動顎に形成されることを特徴とする請求項１に記載のラチェットレンチ。
【請求項３】
前記ラチェットレンチは、調整装置をさらに含み、前記ヘッド部は、係止部ととおり溝とをさらに含み、前記係止部は、前記滑り溝の反対側にある前記移動顎の一端に形成され、かつ滑動可能に前記係止溝に取り付けられ、前記とおり溝は、前記係止溝に連通されており、前記調整装置は、前記とおり溝に取り付けられ、かつ前記係止部と互いに係止することを特徴とする請求項２に記載のラチェットレンチ。
【請求項４】
前記調整装置は、ウォーム歯車と棒材とを含み、前記ウォーム歯車は、回動自在に前記とおり溝に取り付けられ、かつ前記係止部と互いに噛合い、前記棒材は、前記ウォーム歯車に挿入され、かつ前記とおり溝に係合されることを特徴とする請求項３に記載のラチェットレンチ。
【請求項５】
前記ヘッド部は、２つの前記固定顎を含み、前記滑り溝と前記受入穴はそれぞれ、前記第１軸線と前記第２軸線に沿って、前記２つの固定顎のうちのいずれか一つに形成されることを特徴とする請求項１に記載のラチェットレンチ。
【請求項６】
前記夾角は、４５度より小さいことを特徴とする請求項２又は請求項５に記載のラチェットレンチ。
【請求項７】
前記受入穴の内縁に第１ねじ山部が設けられ、前記制限具の外縁に第２ねじ山部が設けられ、前記第１ねじ山部と前記第２ねじ山部とが互いに係合することを特徴とする請求項１ないし請求項５のうちのいずれか一項に記載のラチェットレンチ。
【請求項８】
前記制限具は、延伸部をさらに含み、前記偏圧具は、コイルばねであり、前記制限具の前記延伸部が前記偏圧具に挿入されることを特徴とする請求項１ないし請求項５のうちのいずれか一項に記載のラチェットレンチ。
【請求項９】
前記固定顎は、第１歯面を有し、前記挟持部は、第２歯面を有し、前記第１歯面と前記第２歯面とが互いに対向することを特徴とする請求項１ないし請求項５のうちのいずれか一項に記載のラチェットレンチ。
【請求項１０】
前記可動顎は、第１連結セクションと第２連結セクションとを含み、前記第１連結セクションは第１厚みを有し、前記第２連結セクションは第２厚みを有し、前記第２厚みは前記第１厚みより大きいことを特徴とする請求項２ないし請求項４のうちのいずれか一項に記載のラチェットレンチ。
【考案の詳細な説明】
【技術分野】
【０００１】
本考案はレンチに関し、特にラチェット機能を備えるラチェットレンチに関する。
【背景技術】
【０００２】
レンチ（以下はスパナを同意語として使用する）は、てこ原理を利用して、ボルト、ナット、又は素手で回しにくい他の締め具を回す手工具である。スパナは通常、把持部のいずれかの一端又は両端に設けられる開口部で締め具を挟み、かつ使用者が把持部の他端に回動方向に沿う外力を加えることによって、締め具を回すことができる。スパナの種類がかなり多く、そのうちの一種がモンキーレンチである。モンキーレンチを使用する頻度が非常に高い原因は、サイズが変わってもスパナを換える必要がなく、開口部の大きさを自由に調節することにより、各種サイズの締め具を挟むことができることにある。使用者にとって、一つのモンキーレンチで用意することで、複数の固定サイズのスパナに代わることができるので、極めて大きい利便性と適用性をもたらすことができる。
【０００３】
一般のラチェット機能を有するレンチは、米国特許第８１３６４２９号のREVERSIBLE  MONKEY  WRENCH（可逆モンキーレンチ）（特許文献１）に記載されるとおり、把持部（handle）と、ヘッド部（head）と、摺動顎（slidable  jaw）と、軸棒（axial  rod）と、ウォーム歯車（worm  gear）とを含む。ヘッド部は、把持部の一端に形成され、固定顎（fixed  jaw）と、摺動軌道（sliding  rail）と、収容溝（receiving  slot）とを含む。把持部は、接続端（connecting  end）を有し、接続端は、稼働当接面（working  abutting  face）とアイドル当接面（idle  abutting  face）とを含む。可動ピン（movable  pin）は、ヘッド部と接続端との間に設けられ、摺動顎の摺動棒（sliding  rod）は、摺動可能に摺動レールに摺設され、軸棒とウォーム歯車とは、収容溝に収容される。ウォーム歯車と摺動棒とが互いに係合することによって、摺動顎が固定顎に相対して摺動することを制御し、摺動顎と固定顎との間に形成する開度を調節することによって、様々なサイズの締め具を挟持することができる。
【０００４】
前述スパナを時計方向へ回すとき、可動当接面がヘッド部に当接し、可動ピンが上方に押し上げられる。これによって、可動ピンの一つの平面（plane  surface）がウォンの当接端（abutting  end）に当接される。したがって、摺動顎と固定顎とで六角ナットをしっかり挟んで、回すことができる。前述スパナを反対方向に回すとき、可動当接面がヘッド部から離れるとともに、アイドル当接面がヘッド部に当接される。そして、把持部をヘッド部に相対して所定の角度を回すとき、第２ばね（second  spring）が下方に押し下げられるので、可動ピンは、可動ピンの平面がウォーム歯車の当接端から離脱することを可能にする。また、ナットが、第３ばね（third  spring）が提供する弾性付勢力より大きい水平方向の分力を摺動顎に与えて、摺動顎とウォーム歯車が、固定顎から離れる方向に滑動するので、ラチェット運動が発生する。
【先行技術文献】
【特許文献】
【０００５】
【特許文献１】米国特許第８１３６４２９号
【考案の概要】
【考案が解決しようとする課題】
【０００６】
しかし、前述スパナは、ラチェット機能を達成するために設けた各構成品の構造が複雑で、組立が難しく、製造コストも高い問題を有している。さらに、把持部とヘッド部との間に、一つの連結軸（joint  axle）のみが枢接されているため、構造強度が低すぎて、ナットを回すときの回動力を充分に堪えることができない。
【０００７】
従来のレンチで、上述した問題を有効に解決および克服できない事実に鑑みて、考案者は、前述した問題点を解決することができる本考案を提供する。
【課題を解決するための手段】
【０００８】
本考案が解決しようとする技術課題は、従来のラチェットレンチの構造が複雑であり、しかもその強度が締め具を回すときの回動力量を充分に堪えることができない問題点を解決することにある。
【０００９】
そのため、本考案は、把持部と、ヘッド部と、可動顎と、偏圧装置とを備えるラチェットレンチを提供する。ヘッド部は、把持部の一端に形成され、少なくとも一つの固定顎と、滑り溝と、受入穴とを含む。滑り溝は、受入穴に連通されており、滑り溝は、第１軸線に沿って延伸され、受入穴は、第２軸線に沿って延伸され、第１軸線と第２軸線との間に所定の夾角が形成される。可動顎は、挟持部と、接続部と、収容溝とを含む。挟持部は、可動顎と対向し、接続部は、固定顎から離れる挟持部の一端に形成され、かつ滑り溝に滑動可能に取り付けられる。収容溝は、接続部に形成され、かつ受入穴に連通されている。偏圧装置は、制限具と偏圧具とを含む。制限具は、受入穴に挿入され、偏圧具は、受入穴と収容溝に収容される。偏圧具の異なる両端はそれぞれ、制限具と収容溝とに当接される。
【００１０】
本考案の一実施例において、ラチェットレンチがモンキーレンチである。ヘッド部は、係止溝と可動顎とをさらに含み、可動顎は、摺動自在に係止溝に取り付けられ、固定顎に相対して移動することができる。滑り溝は、第１軸線に沿って可動顎に形成され、受入穴は、第２軸線に沿って可動顎に形成される。
【００１１】
ラチェットレンチは、調整装置をさらに含み、ヘッド部は、係止部ととおり溝とをさらに含む。係止部は、滑り溝の反対側にある可動顎の一端に形成され、かつ摺動自在に係止溝に取り付けられる。とおり溝は、係止溝に連通される。調整装置は、とおり溝に取り付けられ、かつ係止部と互いに係止する。
【００１２】
調整装置は、ウォーム歯車と棒材とを含む。ウォーム歯車は、回動自在にとおり溝に取り付けられ、かつ係止部と互いに噛み合う。棒材は、ウォーム歯車に挿入され、かつとおり溝に係合される。
【００１３】
本考案のもう一つの実施例において、ラチェットレンチは両口スパナであり、ヘッド部は２つの固定顎を含む。滑り溝と受入穴はそれぞれ、第１軸線と第２軸線に沿って、２つの固定顎のうちのいずれか一つに形成されている。
【００１４】
前述したいずれかの実施例において、すべての夾角は４５度以下である。
【００１５】
前述したいずれかの実施例において、受入穴の内縁に第１ねじ山部が設けられ、制限具の外縁に第２ねじ山部が設けられ、第１ねじ山部と第２ねじ山部とが互いに係合される。
【００１６】
前述したいずれかの実施例において、制限具は延伸部をさらに含み、偏圧具はコイルばねであり、制限具の延伸部は偏圧具に挿入される。
【００１７】
前述したいずれかの実施例において、固定顎は第１歯面を有し、挟持部は第２歯面を有し、かつ第１歯面と第２歯面とが互いに対向する。
【００１８】
本考案の一実施例において、可動顎は、第１連結セクションと第２連結セクションとを含む。第１連結セクションは第１厚みを有し、第２連結セクションは第２厚みを有し、第２厚みは第１厚みより大きい。
【考案の効果】
【００１９】
本考案の主な技術効果は、構造が単純で、組み立てが容易で、製造コストを大幅に低減することができ、かつラチェット効果を奏することができることである。
【００２０】
本考案による技術効果は、次のとおりである。締め具を固定顎の第１歯面と挟持部の第２歯面との間に挟んで、使用者が把持部を握って、駆動方向に締め具を回すとき、締め具が可動顎の挟持部に水平方向の分力を与えるので、可動顎が滑動できず、滑り溝に固定される。したがって、ラチェットレンチで締め具を駆動することができる。使用者が把持部を握って、駆動方向と反対する解放方向に締め具を回すとき、可動顎が滑り溝に相対して第１軸線に沿って摺動し、偏圧装置の偏圧具が収容溝の底部と制限具との間に圧縮されるので、ラチェットレンチで締め具を駆動することができない。すなわち、ラチェットレンチにラチェット運動が発生する。
【００２１】
本考案によるもう一つの技術効果は、次のとおりである。滑り溝は、第１軸線に沿って延伸され、かつ固定顎と対向する可動顎の一端に形成されている。受入穴は、第２軸線に沿って延伸され、可動顎の弧状端面に形成されている。第１軸線と第２軸線との間に所定の夾角が形成されるか、或いは滑り溝と受入穴がそれぞれ、第１軸線と第２軸線に沿って延伸され、２つの固定顎のいずれか一つに形成される。第１軸線と第２軸線との間に所定の夾角が形成されることによって、受入穴と滑り溝との間に所定の間隔が形成され、かつ両者が互いに平行しない。これによって、可動顎又は２つの可動顎のうちのいずれか一つがより高い構造強度を有することができる。
【００２２】
本考案のさらなる一つの技術効果は、次のとおりである。収容溝は、可動顎の接続部に形成されて、かつヘッド部の受入穴と連通されている。したがって、収容溝が可動顎の両端を貫通する必要がないため、可動顎がより高い構造強度を得ることができる。
【００２３】
本考案のさらなる一つの技術効果は、次のとおりである。可動顎は、第１連結セクションと第２連結セクションとを含む。第１連結セクションと第２連結セクションは、長さ方向に沿って一体に形成され、第１連結セクションは、第１厚みを有し、第２連結セクションは、係止部の付近に位置し、かつ第２厚みを有する。第２厚みが第１厚みより大きいことによって、可動顎の構造強度が向上し、締め具を回すときの回動力に充分に堪えることができる。
【００２４】
その他目的、長所ならび本考案の新規性は以下の詳細説明及び添付の関連図面によって、より明確にすることができる。
【図面の簡単な説明】
【００２５】
【図１】本考案のラチェットレンチの第１実施例による局所の斜視外観図である。
【図２】本考案の図１による斜視分解図である。
【図３】本考案の図１による側面図である。
【図４】図３の４−４断面線に沿う断面図である。
【図５】図４の５−５断面線に沿う断面図である。
【図６】図４の６−６断面線に沿う断面図である。
【図７】本考案のラチェットレンチの第１実施例による使用態様図であり、ラチェットレンチが駆動方向に沿って締め具回す態様を示す図である。
【図８】本考案のラチェットレンチの第１実施例による使用態様図であり、ラチェットレンチが解放方向に沿って締め具を回す態様を示す図である。
【図９】本考案のラチェットレンチの第２実施例による局所の斜視外観図である。
【図１０】本考案の図９による断面図である。
【図１１】本考案のラチェットレンチの第３実施例による側面図である。
【考案を実施するための形態】
【００２６】
本考案に係る技術、手段ならびに効果は、３つの好ましい実施例と図面とを組み合わせて、以下のとおり説明する。ただし、本考案の実用新案登録請求の範囲はこれらの構造に制限されるものではない。
【００２７】
図１ないし図６、本考案のラチェットレンチ１の第１実施例による局所の斜視外観図、局所の分解図、側面図及び断面図を参照する。本考案のラチェットレンチ１の第１実施例は、モンキーレンチであり、把持部１０と、ヘッド部２０と、可動顎３０と、偏圧装置４０と、調整装置５０とを備える。
【００２８】
把持部１０は、使用者の把持に用いられる。
【００２９】
ヘッド部２０は、長さ方向に沿って、把持部１０のいずれかの末端に形成される。ヘッド部２０は、少なくとも一つの固定顎２１と、滑り溝２２と、受入穴２３と、係止溝２４と、可動顎２５と、係止部２６と、とおり溝２７とを含む。本実施例において、ヘッド部２０は固定顎２１を有し、該固定顎２１は第１歯面２１１を有し、滑り溝２２と受入穴２３とは連通されている。受入穴２３の内縁に第１ねじ山部２３１が設けられ、係止溝２４は、幅方向に沿ってヘッド部２０内に形成され、幅方向は、長さ方向に垂直である。可動顎２５は、摺動自在に係止溝２４に内設され、固定顎２１に相対して移動することができる。滑り溝２２は、第１軸線Ａ１に沿って延伸され、かつ固定顎２１と対向する可動顎２５の端面に形成されている。受入穴２３は、第２軸線Ａ２に沿って延伸され、かつ可動顎２５の弧形端面に形成されている。第１軸線Ａ１と第２軸線Ａ２との間に夾角αが形成され、夾角αは４５度より小さく、好ましくは、該夾角αを３０度より小さく設けることである。係止部２６は、滑り溝２２の反対側にある可動顎２５の一端に形成され、かつ係止溝２４に摺動自在に取り付けられ、とおり溝２７は、係止溝２４に連通され、かつヘッド部２０の両側を貫通する。
【００３０】
可動顎３０は、挟持部３１と、接続部３２と、収容溝３３とを含み、挟持部３１はヘッド部２０の固定顎２１と対向し、挟持部３１は第２歯面３１１を有し、第２歯面３１１と固定顎２１の第１歯面２１１とが互いに対向する。これによって、締め具（図４において、破線で示す）を固定顎２１の第１歯面２１１と挟持部３１の第２歯面３１１との間にはさむとき、締め具と、固定顎２１及び挟持部３１との間の摩擦力を増やし、締め具を回すときの効率を向上させることができる。接続部３２は、第１軸線Ａ１に沿って、固定顎２１から離れる挟持部３１の一端に形成され、かつヘッド部２０の滑り溝２２に摺動自在に内設される。好ましくは、接続部３２が略円形の横断面を有し、収容溝３３を接続部３２に形成し、かつヘッド部２０の受入穴２３に連通させることである。より好ましくは、収容溝３３と受入穴２３とが互いに対応するように連通させることにより、第１軸線Ａ１に沿う断面が円形である長い穴を形成することである。
【００３１】
偏圧装置４０は、制限具４１と偏圧具４２とを含み、制限具４１は、ヘッド部２０の受入穴２３に挿入され、偏圧具４２は、受入穴２３と収容溝３３に収容される。偏圧具４２の異なる両端はそれぞれ、制限具４１と収容溝３３の一つの底部とに当接される。制限具４１の外周縁には、第２ねじ山部４１１が設けられ、受入穴２３の第１ねじ山部２３１と第２ねじ山部４１１とが互いに係合される。制限具４１は、第２軸線Ａ２に沿って形成される延伸部４１２をさらに含む。本実施例において、偏圧具４２はコイルばねであり、制限具４１の延伸部４１２が偏圧具４２に挿入される。
【００３２】
調整装置５０は、ヘッド部２０のとおり溝２７に内設され、かつ係止部２６と互いに係止する。調整装置５０は、ウォーム歯車５１と棒材５２とを含み、ウォーム歯車５１は、回動自在にとおり溝２７に取り付けられ、かつ係止部２６と互いに噛合う。これによって、ウォーム歯車５１を回すことにより、可動顎２５が係止溝２４内部で固定顎２１に相対して移動するように動かし、固定顎２１と挟持部３１との間の距離を調節することができる。これによって、ラチェットレンチ１にモンキーレンチの機能をもたせて、各種サイズの締め具に合わせて使うことができる。棒材５２は、ウォーム歯車５１に穿設され、かつとおり溝２７の一つの内壁面に係合される。
【００３３】
図７と図８、本考案のラチェットレンチ１の第１実施例の使用態様図を参照する。対向する締め具の２つの挟持面は、それぞれ固定顎２１の第１歯面と挟持部３１の第２歯面３１１との間に挟まれる。使用者が把持部を握って、駆動方向に締め具を回すとき、締め具によって可動顎３０の挟持部３１に水平方向の分力を与えられるので、可動顎３０が滑動できず、滑り溝２２に固定される。したがって、ラチェットレンチ１で締め具を駆動することができる。
【００３４】
使用者が把持部１０を握って、駆動方向と反対する解放方向に締め具を回すとき、可動顎３０が滑り溝２２に相対して、滑り溝内で第１軸線Ａ１に沿って摺動し、偏圧装置４０の偏圧具４２が収容溝３３の底部と制限具４１との間に圧縮されるので、ラチェットレンチ１で締め具を駆動することができない。すなわち、ラチェットレンチ１にラチェット運動が発生する。
【００３５】
図９と図１０、本考案のラチェットレンチ１ａの第２実施例による局所の斜視外観図と断面図とを参照する。第２実施例において、本考案のラチェットレンチ１ａはモンキーレンチであり、把持部１０ａと、ヘッド部２０ａと、可動顎３０ａと、偏圧装置４０ａとを備える。
【００３６】
把持部１０ａは、使用者の把持に用いられる。
【００３７】
ヘッド部２０ａは、長さ方向に沿って、把持部１０ａのいずれかの末端に形成される。ヘッド部２０ａは、少なくとも一つの固定顎２１ａと、滑り溝２２ａと、受入穴２３ａとを含む。本実施例において、ヘッド部２０ａは２つの固定顎２１ａを含み、滑り溝２２ａは受入穴２３ａに連通され、滑り溝２２ａと受入穴２３ａはそれぞれ、第１軸線Ａ１と第２軸線Ａ２に沿って延伸され、かつ２つの固定顎２１ａのうちのいずれか一つに形成される。第１軸線Ａ１と第２軸線Ａ２との間に夾角αが形成され、夾角αは４５度より小さく、好ましくは該夾角αを３０度より小さく設けることである。もう一つの固定顎２１ａは、第１歯面２１１ａを有し、受入穴２３ａの内周縁には、第１ねじ山部２３１ａが設けられている。
【００３８】
可動顎３０ａは、挟持部３１ａと、接続部３２ａと、収容溝３３ａとを含み、挟持部３１ａはヘッド部２０ａの固定顎２１ａと対向し、挟持部３１ａは第２歯面３１１ａを有し、第２歯面３１１ａと固定顎２１ａの第１歯面２１１ａとが互いに対向する。これにより、締め具（図８において、破線で示す）を固定顎２１ａの第１歯面２１１ａと挟持部３１の第２歯面３１１との間にはさむときは、締め具と固定顎２１ａ及び挟持部３１ａとの間の摩擦力を増やし、締め具を回すときの効率を向上させることができる。接続部３２ａは第１軸線Ａ１に沿って、固定顎２１ａから離れる挟持部３１ａの一端に形成され、かつヘッド部２０ａの滑り溝２ａ２に摺動自在に内設される。好ましくは、接続部３２ａが略円形の横断面を有し、収容溝３３ａを接続部３２ａに形成し、かつヘッド部２０ａの受入穴２３ａに連通させることである。収容溝３３ａと受入穴２３ａとが互いに対応するように連通させることにより、第１軸線Ａ１に沿う断面が円形である長い穴を形成することである。
【００３９】
偏圧装置４０ａは、制限具４１ａと偏圧具４２ａとを含み、制限具４１ａは、ヘッド部２０ａの受入穴２３ａに挿入され、偏圧具４２ａは、受入穴２３ａと収容溝３３ａに収容される。偏圧具４２ａの異なる両端はそれぞれ、制限具４１ａと収容溝３３ａの一つの底部とに当接される。制限具４１ａの外周縁には、第２ねじ山部４１１ａが設けられ、受入穴２３ａの第１ねじ山部２３１ａと第２ねじ山部４１１ａとが互いに係合される。制限具４１ａは、第２軸線Ａ２に沿って形成される延伸部４１２ａをさらに含む。本実施例において、偏圧具４２ａはコイルばねであり、制限具４１ａの延伸部４１２ａは、偏圧具４２ａに挿入される。
【００４０】
図１１、本考案のラチェットレンチの第３実施例による局所の側面図を参照する。本考案のラチェットレンチの第３実施例と第１実施例とがほぼ同じであり、相違点は、本実施例の可動顎２５が、第１連結セクション２５１と第２連結セクション２５２とを含むことにある。第１連結セクション２５１と第２連結セクション２５２は、長さ方向に沿って一体に形成され、第１連結セクション２５１は第１厚みＴ１を有し、第２連結セクション２５２は係止部２６の付近に位置し、かつ第２厚みＴ２を有し、第２厚みＴ２は第１厚みＴ１より大きい。これにより、可動顎２５の構造強度が向上し、締め具を回すときの回動力に充分に堪えることができる。
【００４１】
前述したとおり、本考案のラチェットレンチ１、１ａは、以下の効果を奏することができる。
【００４２】
イ、本考案のラチェットレンチ１、１ａの構造が単純で、組み立てが容易である。しかも、製造コストを大幅に低減することができ、ラチェット効果を提供することができる。
【００４３】
ロ、締め具を、固定顎２１の第１歯面２１１と挟持部３１の第２歯面３１１との間に挟んで、使用者が把持部１０を握って、駆動方向に締め具を回すとき、締め具が可動顎３０の挟持部に水平方向の分力を与えるので、可動顎３０が滑動できずに滑り溝２２に固定される。したがって、ラチェットレンチ１で締め具を駆動することができる。使用者が把持部１０を握って、駆動方向と反対する解放方向に締め具を回すとき、可動顎３０が滑り溝２２に相対して第１軸線Ａ１に沿って摺動し、偏圧装置４０の偏圧具４２が収容溝３３の底部と制限具４１との間に圧縮されるので、ラチェットレンチ１で締め具を駆動することができない。すなわち、ラチェットレンチ１にラチェット運動が発生する。
【００４４】
ハ、本考案の一実施例において、滑り溝２２は、第１軸線Ａ１に沿って延伸され、固定顎２１と対向する可動顎２５の一端に形成され、受入穴２３は、第２軸線Ａ２に沿って延伸され、可動顎２５の弧状端面に形成され、第１軸線Ａ１と第２軸線Ａ２との間に夾角αが形成される。本考案のもう一つの実施例において、滑り溝２２ａと受入穴２３ａはそれぞれ、第１軸線Ａ１と第２軸線Ａ２に沿って延伸され、かつ２つの固定顎２１ａのうちのいずれか一つに形成されている。第１軸線Ａ１と第２軸線Ａ２との間に夾角αが形成されることによって、受入穴２３又は２３ａと滑り溝２２又は２２ａとの間に所定の間隔が形成され、かつ両者が互いに平行しない。これによって、可動顎２５又は２つの可動顎２１ａのうちのいずれか一つが高い構造強度を有することができる。
【００４５】
二、収容溝３３、３３ａは、可動顎３０、３０ａの接続部３２、３２ａに形成され、かつヘッド部２０、２０ａの受入穴２３、２３ａと連通されている。その場合、収容溝３３、３３ａが可動顎３０、３０ａの両端を貫通しないので、可動顎３０、３０ａがより高い構造強度を得ることができる。
【００４６】
ホ、可動顎２５は、第１連結セクション２５１と第２連結セクションと２５２を含み、第１連結セクション２５１と第２連結セクション２５２は、長さ方向に沿って一体に形成されている。第１連結セクション２５１は、第１厚みＴ１を有し、第２連結セクション２５２は、係止部２６の付近に位置し、かつ第２厚みＴ２を有する。第２厚みＴ２が第１厚みＴ１より大きいことによって、可動顎２５の構造強度を向上させ、締め具を回すときの回動力に充分に堪えることができる。
【００４７】
以上に説明された通り、本考案は公開された技術には見当たらず、法による新規制及び進歩成を有し、かつ産業上の利用価値を有する。よって、法により、実用新案を出願する。
【符号の説明】
【００４８】
１  ラチェットレンチ
１０  把持部
２０  ヘッド部
２１  固定顎
２１１  第１歯面
２２  滑り溝
２３  受入穴
２３１  第１ねじ山部
２４  係合溝
２５  可動顎
２５１  第１連結セクション
２５２  第２連結セクション
２６  係合部
２７  とおり溝
３０  可動顎
３１  挟持部
３１１  第２歯面
３２  接続部
３３  収容溝
４０  偏圧装置
４１  制限具
４１１  第２ねじ山部
４１２  延伸部
４２  偏圧具
５０  調節装置
５１  ウォーム歯車
５２  棒材
１ａ  ラチェットレンチ
１０ａ  把持部
２０ａ  ヘッド部
２１ａ  固定顎
２１１ａ  第１歯面
２２ａ  滑り溝
２３ａ  受入穴
２３１ａ  第１ねじ山部
３０ａ  可動顎
３１ａ  挟持部
３１１ａ  第２歯面
３２ａ  接続部
３３ａ  収容溝
４０ａ  偏圧装置
４１ａ  制限具
４１１ａ  第２ねじ山部
４１２ａ  延伸部
４２ａ  偏圧具
Ａ１  第１軸線
Ａ２  第２軸線
Ｔ１  第１厚み
Ｔ２  第２厚み
α  夾角
【図１】
0003190709.tif 000003
【図２】
0003190709.tif 000004
【図３】
0003190709.tif 000005
【図４】
0003190709.tif 000006
【図５】
0003190709.tif 000007
【図６】
0003190709.tif 000008
【図７】
0003190709.tif 000009
【図８】
0003190709.tif 000010
【図９】
0003190709.tif 000011
【図１０】
0003190709.tif 000012
【図１１】
0003190709.tif 000013